(57)【要約】  本発明の情報処理端末は、２つの表示部（１３，１５）と、自装置の姿勢を検出する姿勢検出部（１９）と、姿勢検出部（１９）が検出した姿勢に応じて、２つの表示部（１３，１５）に１画面としてコンテンツを表示させるか、２つの表示部（１３，１５）のうちいずれか一方の表示部にコンテンツを表示させるかを判定する制御部（１７）とを有する。
2013046986.tif 000002
【特許請求の範囲】
【請求項１】
２つの表示部と、
自装置の姿勢を検出する姿勢検出部と、
前記姿勢検出部が検出した姿勢に応じて、前記２つの表示部に１画面としてコンテンツを表示させるか、該２つの表示部のうちいずれか一方の表示部に前記コンテンツを表示させるかを判定する制御部と、
を有する情報処理端末。
【請求項２】
請求項１記載の情報処理端末において、
前記制御部は、
前記姿勢検出部が検出した姿勢が前記２つの表示部が縦に並んだ状態である場合、前記２つの表示部のうちいずれか一方の表示部に前記コンテンツを表示させ、前記姿勢検出部が検出した姿勢が前記２つの表示部が横に並んだ状態である場合、前記２つの表示部に１画面として前記コンテンツを表示させる、情報処理端末。
【請求項３】
請求項１または２記載の情報処理端末において、
前記制御部は、
前記姿勢を含む、予め決められた複数のパラメータ、およびその優先順位にしたがって、前記コンテンツの表示に、前記２つの表示部を用いるか、前記２つの表示部のうちいずれか一方の表示部を用いるかを決定する、情報処理端末。
【請求項４】
請求項３記載の情報処理端末において、
前記複数のパラメータは、前記姿勢の他に、前記２つの表示部への電力供給方法、電池残量、および前記コンテンツ再生に要求される性能のうち、いずれか１つ以上を含む、情報処理端末。
【請求項５】
請求項１から４のいずれか１項記載の情報処理端末において、
前記コンテンツは動画である、情報処理端末。
【請求項６】
２つの表示部および制御部を有する情報処理端末による情報処理方法であって、
自装置の姿勢を検出し、
検出した姿勢に応じて、前記２つの表示部に１画面としてコンテンツを表示させるか、該２つの表示部のうちいずれか一方の表示部に前記コンテンツを表示させるかを判定する、情報処理方法。
【発明の詳細な説明】
【技術分野】
【０００１】
本発明は、情報処理端末および情報処理方法に関する。
【背景技術】
【０００２】
２つの表示部を有する画像表示装置の一例が特許文献１に開示されている。この文献には、２つの画面の一方、または両方を使用して、複数の表示方法が可能であることが開示されている。
【先行技術文献】
【特許文献】
【０００３】
【特許文献１】特開平９−２６５６２号公報（第１９図）
【発明の概要】
【０００４】
特許文献１に開示された画像表示装置では、表示方法を変更する場合、ユーザが画像処理装置を操作して表示方法の設定を変更しなければならず、手間がかかるという問題があった。例えば、２画面で情報を表示させている状態から、いずれか一方の画面のみの表示に変更する際、ユーザは、動作させる画面の方に情報を表示させるように、設定を変更する操作を行わなければならない。
【０００５】
本発明の目的の一つは、端末の向きが変更されても、ユーザの操作なしに、コンテンツを見やすいように表示方法を変更可能にした情報処理端末および情報処理方法を提供することである。
【０００６】
本発明の一側面の情報処理端末は、２つの表示部と、自装置の姿勢を検出する姿勢検出部と、姿勢検出部が検出した姿勢に応じて、２つの表示部に１画面としてコンテンツを表示させるか、２つの表示部のうちいずれか一方の表示部にコンテンツを表示させるかを判定する制御部と、を有する構成である。
【０００７】
また、本発明の一側面の情報処理方法は、２つの表示部および制御部を有する情報処理端末による情報処理方法であって、自装置の姿勢を検出し、検出した姿勢に応じて、２つの表示部に１画面としてコンテンツを表示させるか、２つの表示部のうちいずれか一方の表示部にコンテンツを表示させるかを判定するものである。
【図面の簡単な説明】
【０００８】
【図１】図１は本実施形態の情報処理端末の一構成例を示すブロック図である。
【図２Ａ】図２Ａは本実施形態の情報処理端末の一例を示す外観図である。
【図２Ｂ】図２Ｂは本実施形態の情報処理端末の一例を示す外観図である。
【図２Ｃ】図２Ｃは本実施形態の情報処理端末の一例を示す外観図である。
【図３】図３は図１に示した制御部の一構成例を示すブロック図である。
【図４Ａ】図４Ａは情報処理端末の姿勢に対応した表示制御方法を説明するための図である。
【図４Ｂ】図４Ｂは情報処理端末の姿勢に対応した表示制御方法を説明するための図である。
【図４Ｃ】図４Ｃは情報処理端末の姿勢に対応した表示制御方法を説明するための図である。
【図５】図５は本実施形態の情報処理端末の動作手順を示すフローチャートである。
【発明を実施するための形態】
【０００９】
本実施形態の情報処理端末の構成を説明する。
【００１０】
図１は本実施形態の情報処理端末の一構成例を示すブロック図である。図２Ａ〜図２Ｃは本実施形態の情報処理端末の一例を示す外観図である。
【００１１】
図１に示すように、本実施形態の情報処理端末１０は、表示部１３および表示部１５と、記憶部１２と、通信部１４と、電源制御部１６と、操作部１８と、姿勢検出部１９と、制御部１７とを有する。図１に示す構成を詳しく説明する前に、情報処理端末１０が取り得る２通りの姿勢について、図２Ａ〜図２Ｃを参照して説明する。
【００１２】
図２Ａに示すように、情報処理端末１０は２つの筺体３３、３５からなり、筺体３３に表示部１３が設けられ、筺体３５に表示部１５が設けられている。筺体３３と筺体３５はヒンジ３７で接続されている。ユーザは、ヒンジ３７を回転軸にして、筺体３３と筺体３５とを重ね合わせて閉じたり、筺体３３を筺体３５から離して開いたりすることができる。
【００１３】
図２Ａは、表示部１３および表示部１５が横に並んだ状態であり、例えば、筺体３３および筺体３５の短辺側の一部が机の上面に接するように、ユーザが、左手で筺体３３を保持し、右手で筺体３５を保持して、情報処理端末１０を机の上に立てた状態である。図２Ａでは、表示部１３および表示部１５の２つの画面が１つの画面として機能し、１つのコンテンツが拡大表示されている。図２Ａに示す状態であれば、ユーザは、コンテンツを大きな画面で楽しむことができる。
【００１４】
図２Ｂは、表示部１３および表示部１５が縦に並んだ状態、例えば、筺体３５の２つの面のうち、表示部１５が設けられていない方の面が机の上面に接するように、情報処理端末１０が机の上に置かれた状態である。そして、筺体３３は机の上面に対して垂直か、または、垂直方向に対して、ユーザの面する方向と反対方向に少し傾いている。図２Ｂでは、表示部１３にコンテンツが表示され、表示部１５には何も表示されていない。図２Ｂに示す状態では、表示部１３がユーザに面しており、表示部１３の表面がユーザの視線の方向とほぼ垂直になるので、ユーザは表示部１３に表示されるコンテンツが見やすくなる。一方、ユーザは、表示部１５を見ようとすると、見下ろすようにしなければならず、表示部１５にコンテンツが表示されても、かえって見づらくなってしまう。
【００１５】
図２Ｃは、図２Ｂの状態とは反対に、筺体３３を机の上に載せ、筺体３５を立てた状態である。図２Ｃに示す状態では、表示部１５がユーザに面しており、表示部１５の表面がユーザの視線の方向とほぼ垂直になるので、ユーザは表示部１５に表示されるコンテンツが見やすくなる。
【００１６】
図２Ａに示す姿勢は、本を開いて立てた形に似ていることから、以下では、「ブックスタイル」と称する。一方、図２Ｂおよび図２Ｃに示す姿勢は、蓋部に表示部が設けられたノート型ＰＣ（Personal  Computer）を机の上に載せて蓋部を立てた形に似ていることから、以下では、「ＰＣスタイル」と称する。なお、記憶部１２、通信部１４、電源制御部１６、操作部１８、姿勢検出部１９および制御部１７のそれぞれは、筺体３３および筺体３５のうち、いずれに設けられていてもよい。
【００１７】
次に、図１を参照して情報処理端末１０の構成を詳しく説明する。
【００１８】
表示部１３および表示部１５のそれぞれは、表示デバイス（不図示）の上にタッチパネル（不図示）が積層された構成である。表示デバイスは液晶ディスプレイである。
【００１９】
操作部１８は、ユーザが指示を入力するための構成であり、制御部１７と接続された、電源ボタン（不図示）および表示モード切替ボタン（不図示）を有する。表示モード切替ボタンは、コンテンツを表示させる画面を、表示部１３および表示部１５の２画面、表示部１３の１画面、および表示部１５の一画面の３つの表示モードのうち、いずれを選択するかをユーザが指定するための指示入力手段である。この表示モード切替ボタンによる指定がない場合には、コンテンツが表示される画面は、デフォルト画面に設定される。本実施形態では、デフォルト画面が表示部１３であるものとする。
【００２０】
電源制御部１６は、内部電源としての電池（不図示）の電圧値と、外部から供給される交流を直流に変換するＡＣアダプタが自装置に装着されているか否かを監視する。電源制御部１６は、ＡＣアダプタが装着されているか否かの情報と電池の電圧値を制御部１７に通知する。
【００２１】
姿勢検出部１９は、例えば、加速度センサである。姿勢検出部１９は、重力方向を基準方向として、基準方向に対する、情報処理端末１０の姿勢を示す検知信号を制御部１７に送信する。本実施形態では、姿勢検出部１９は、端末の姿勢が図２Ａに示したブックスタイルの場合に第１検知信号を制御部１７に出力し、端末の姿勢が図２Ｂに示したＰＣスタイルの場合に第２検知信号を制御部１７に出力し、端末の姿勢が図２Ｃに示したＰＣスタイルの場合に第３検知信号を制御部１７に出力するものとする。
【００２２】
記憶部１２には、動画コンテンツを再生するためのアプリケーションソフトウェアプログラム（以下では、動画再生アプリケーションと称する）が格納されている。動画再生アプリケーションは、例えば、ＦＬＡＳＨ（登録商標）プレーヤである。
【００２３】
通信部１４は、ネットワークを介してウェブサイトからデータを受信する。本実施形態では、ネットワークはインターネットであるものとし、通信部１４が行う通信処理の通信規格がＴＣＰ（Transmission  Control  Protocol）／ＩＰ（Internet  Protocol）の場合であるものとするが、他の通信規格であってもよい。
【００２４】
図３は図１に示した制御部の一構成例を示すブロック図である。
【００２５】
図３に示すように、制御部１７は、複数のパラメータにしたがって表示方法を決定する判定部５１と、動画コンテンツを再生する画像処理部５３とを有する。複数のパラメータとは、例えば、情報処理端末１０の姿勢、表示部１３、１５への電力供給方法、電池残量、動画コンテンツ再生に要求される性能である。
【００２６】
判定部５１は、プログラムにしたがって処理を実行するＣＰＵ（Central  Processing  Unit）１５１と、プログラムを記憶するメモリ１５２とを有する。メモリ１５２には、上述の複数のパラメータについて優先順位の情報が予め登録されている。画像処理部５３は、動画コンテンツの圧縮データに対して伸張処理を行うハードウェアコーデックの機能を有する。
【００２７】
制御部１７は、ネットワーク上の動画共有サイトに公開されている動画コンテンツをダウンロードする指示が入力されると、動画再生アプリケーションを記憶部１２から画像処理部５３に読み込み、画像処理部５３に動画再生処理を実行可能にさせる。そして、制御部１７が動画共有サイトからネットワークおよび通信部１４を介して動画コンテンツの圧縮データを受信すると、画像処理部５３は、受信する圧縮データを順次、伸張処理し、伸張処理後の動画コンテンツを、判定部５１の指示にしたがって、表示部１３および表示部１５のいずれか一方、または両方を使って再生する。
【００２８】
また、画像処理部５３は、受信する圧縮データを伸張処理する前に、動画コンテンツのプロファイルを読み出して判定部５１に通知する。判定部５１は、画像処理部５３から動画コンテンツのプロファイルを受け取ると、その動画コンテンツの再生に要求される性能に対して画像処理部５３の能力が十分か否かを判定する。そして、判定部５１は、要求される性能に対して画像処理部５３の能力が十分ではないと判断すると、１画面表示を優先させ、その旨を画像処理部５３に指示する。動画コンテンツの再生に対して要求される性能が高い場合、たとえ画像処理部５３の能力で描画可能であっても、１画面に比べて、２画面のように描画面積が大きいと、コンテンツをスムーズに再生することができない場合があるからである。
【００２９】
動画コンテンツのプロファイルから画像処理部５３の能力が十分か否かを判定する方法の一例を説明する。動画コンテンツのプロファイルと画像処理部５３で処理可能なコンテンツの種類とが記述されたテーブルがメモリ１５２に予め保存されている。判定部５１は、そのテーブルを参照してコンテンツの種類を特定すると、その動画コンテンツの再生に画像処理部５３が対応可能か否かを判定する。
【００３０】
判定部５１は、動画コンテンツ再生の際、外部から電源が供給されていない場合、電池の電圧値から残量が少ないと判定すると、１画面表示を優先させる。これは、２画面表示させる場合、１画面表示の場合よりも電力消費量が大きいからである。
【００３１】
判定部５１は、動画コンテンツ再生の際、姿勢検出部１９から第１検知信号を受信すると、表示部１３および表示部１５の２つの画面で表示する旨を画像処理部５３に指示する。また、判定部５１は、姿勢検出部１９から第２検知信号を受信すると、表示部１３に表示する旨を画像処理部５３に指示し、姿勢検出部１９から第３検知信号を受信すると、表示部１５に表示する旨を画像処理部５３に指示する。ただし、判定部５１は、姿勢検出部１９から第１検知信号を受信しても、表示方法を決定するための他のパラメータにしたがって１画面表示すべきと判定すると、デフォルト画面で表示する旨を画像処理部５３に指示する。
【００３２】
なお、本実施形態では、動画コンテンツの圧縮データに対して伸張処理を行うハードウェアコーデックが画像処理部５３に設けられている場合で説明したが、ハードウェアコーデックの代わりに、圧縮データを伸張するためのソフトウェアプログラムを予め記憶部１２に格納し、そのプログラムをＣＰＵ１５１に実行させるソフトウェアコーデックを適用してもよい。
【００３３】
次に、本実施形態の情報処理端末１０が姿勢にしたがって動画コンテンツの表示方法を変更する理由を説明する。図４Ａ〜図４Ｃは情報処理端末の姿勢に対応した表示制御方法を説明するための図である。
【００３４】
図４Ａに示す姿勢は、図２Ａに示したスタイルと同様に、ブックスタイルを示す。ブックスタイルの場合、２つの画面を１つの画面として動画コンテンツを拡大して再生するので、ユーザは、動画コンテンツをよりはっきりとコンテンツを見ることができる。ブックスタイルでは、図４Ａに示す姿勢から情報処理端末１０を１８０度回転させて使用した場合、つまり表示部１５が左、表示部１３が右に位置している場合であっても、情報処理端末１０は図４Ａの姿勢で使用したときと同様に動作する。
【００３５】
図４Ａに示す状態から、ユーザがＰＣスタイルで動画コンテンツを見ようとして情報処理端末１０の姿勢を図４Ｂに示す姿勢に変えたとする。しかし、２画面表示のままだと、動画コンテンツが拡大表示されているが、図４Ｂに示すように、コンテンツが横向きになってかえって見づらくなってしまう。
【００３６】
そこで、情報処理端末１０の姿勢がＰＣスタイルの場合には、図４Ｃに示すように、動画コンテンツの再生を２画面表示から１画面表示に変更する。図４Ｃに示すＰＣスタイルでは、表示部１３がユーザに面しており、表示部１３の表面がユーザの視線の方向とほぼ垂直になるので、表示部１３に動画コンテンツを表示させている。
【００３７】
次に、本実施形態の情報処理端末１０の動作を説明する。図５は本実施形態の情報処理端末の動作手順を示すフローチャートである。
【００３８】
制御部１７は、ユーザから動画コンテンツの再生の指示が入力されると、表示モードが指定されているか否かを調べる（ステップ２０１）。ユーザによって表示画面が指定されている場合、制御部１７は、指定された画面に動画コンテンツを表示させる（ステップ２０２）。例えば、動画共有サイトの、動画コンテンツを紹介するページに、その動画コンテンツの再生に必要なハードウェアコーデックの規格などが記載されている場合がある。この場合、ユーザは、その規格を見て、要求される性能が高いことを認識すれば、動画コンテンツの表示画面として表示部１３または表示部１５を予め指定しておくことがある。
【００３９】
ステップ２０１において、ユーザが表示画面を指定していない場合、制御部１７は、ＡＣアダプタが装着されているか否かを調べる（ステップ２０３）。ＡＣアダプタが装着されている場合、制御部１７は、動画再生で要求される性能を、動画コンテンツのプロファイルから判定する（ステップ２０４）。
【００４０】
ステップ２０４の判定で、動画再生で要求される性能が高い場合、制御部１７は、姿勢がＰＣスタイルであるか否かを判定する（ステップ２０５）。姿勢がＰＣスタイルでない場合、制御部１７は、デフォルト画面に動画コンテンツを表示させる（ステップ２０６）。ステップ２０５の判定で姿勢がＰＣスタイルである場合、制御部１７は、姿勢検出部１９からの検知信号にしたがって、ユーザの見やすい方の画面に動画コンテンツを表示させる（ステップ２０７）。
【００４１】
ステップ２０４の判定で、動画再生で要求される性能が低い場合、制御部１７は、姿勢がＰＣスタイルであるか否かを判定する（ステップ２０８）。姿勢がＰＣスタイルである場合、制御部１７は、ステップ２０７に進む。ステップ２０５で姿勢がＰＣスタイルでない場合、制御部１７は、２画面に動画コンテンツを表示させる（ステップ２０９）。
【００４２】
一方、ステップ２０３の判定で、ＡＣアダプタが装着されていない場合、制御部１７は、電池の電圧値から電池残量が充分あるか否かを判定する（ステップ２１０）。電池残量が充分ある場合、制御部１７はステップ２０４に進む。電池残量が少ない場合、制御部１７は、姿勢がＰＣスタイルであるか否かを判定する（ステップ２１１）。姿勢がＰＣスタイルである場合、制御部１７は、姿勢検出部１９からの検知信号にしたがって、ユーザの見やすい方の画面に動画コンテンツを表示させる（ステップ２１２）。ステップ２１１の判定で姿勢がＰＣスタイルでない場合、制御部１７は、デフォルト画面に動画コンテンツを表示させる（ステップ２１３）。
【００４３】
本実施形態によれば、装置の姿勢を検出し、姿勢に合わせて２つの表示部にコンテンツを表示させるか、２つの表示部のうちいずれか一方の表示部にコンテンツを表示するようにしている。そのため、端末の向きを変更しても、端末の姿勢に合わせてコンテンツが見やすいように表示方法が変更されるため、ユーザの操作の手間が軽減する。
【００４４】
なお、上述の実施形態では、Ｆｌａｓｈ形式のストリーミング再生の場合で説明したが、動画再生用のアプリケーションソフトウェアにも、本発明を適用することが可能である。
【００４５】
また、上述の実施形態では、表示対象のコンテンツが動画の場合で説明したが、コンテンツは動画の場合に限らない。
【００４６】
本発明の効果の一例として、端末の向きが変更されても、コンテンツを見やすいように表示方法が変更されるため、ユーザの操作の手間が軽減する。
【００４７】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００４８】
なお、この出願は、２０１１年９月２６日に出願された日本出願の特願２０１１−２０８８１１の内容が全て取り込まれており、この日本出願を基礎として優先権を主張するものである。
【符号の説明】
【００４９】
１０    情報処理端末
１３、１５    表示部
１７    制御部
１９    姿勢検出部
【図１】
2013046986.tif 000003
【図２Ａ】
2013046986.tif 000004
【図２Ｂ】
2013046986.tif 000005
【図２Ｃ】
2013046986.tif 000006
【図３】
2013046986.tif 000007
【図４Ａ】
2013046986.tif 000008
【図４Ｂ】
2013046986.tif 000009
【図４Ｃ】
2013046986.tif 000010
【図５】
2013046986.tif 000011
【国際調査報告】
2013046986.tif 000012
2013046986.tif 000013
2013046986.tif 000014
2013046986.tif 000015